(57)【特許請求の範囲】
【請求項１】
スクリーンの巻取軸に、フィルムを基材とし、その片面に設けられた粘着面を内側にして互に重ね合わせた一対の再剥離性粘着シートの一端部を連結し、上記巻取軸に巻取られるスクリーンの巻始め側端部に前記再剥離性粘着シートの粘着面に対して接着可能な合成樹脂フィルムから成る連結シートを固着したロールスクリーンにおけるスクリーンの着脱装置。
【発明の詳細な説明】
【０００１】
【発明の属する技術分野】
この発明は、ロールスクリーンにおけるスクリーンの着脱装置に関するものである。
【０００２】
【従来の技術】
巻取軸によってスクリーンを巻取るようにしたロールスクリーンは、窓の日除けや遮光等に用いられている。
【０００３】
図４は、上記ロールスクリーンを新幹線等の車両における窓の日除け用として使用した例を示し、車両の外壁パネル１０と内壁パネル１１間に形成された空間部に巻取軸１２を回転自在に取付け、その巻取軸１２によって巻取られた日除け用のスクリーン１３によって窓１４を開閉させるようにしている。
【０００４】
上記のようなロールスクリーンは、長期の使用によってスクリーンが汚れ、あるいは傷みが生じるため、巻取軸１２に対してスクリーン１３を着脱自在に連結し、スクリーン１３を交換し得るようにしている。
【０００５】
ここで、スクリーン１３が巻取軸１２に直接的に着脱自在に連結された構成であると、内壁パネル１１を取外してスクリーン１３を取替える必要が生じ、スクリーン１３の着脱に非常に手間がかかる問題が生じる。
【０００６】
その問題点を解決するため、巻取軸１２に連結シート１５を固定し、その連結シート１５に対してスクリーン１３を着脱自在に連結し、上記連結シート１５とスクリーン１３の連結部１６を外・内壁パネル１０、１１間から外部に引き出して、スクリーン１３を着脱することが行なわれている。
【０００７】
連結シート１５に対するスクリーン１３の着脱装置として、実公平３−１２９５９号公報に記載されたものが従来から知られている。
【０００８】
【発明が解決しようとする課題】
ところで、上記公報に記載されたスクリーンの着脱装置においては、咬合子を有する一対のテープを用い、一方のテープを巻取軸に連結し、他方のテープをスクリーンに連結して、上記咬合子の結合および解除によりスクリーンを着脱させる構成であるため、スクリーンの着脱の都度、咬合子を結合および解除する必要が生じ、スクリーンの着脱に手間がかかる問題がある。
【０００９】
また、咬合子は厚みがあるため、巻取軸でスクリーンを巻取った場合に、スクリーンは咬合子と対向する位置において盛り上がりが生じ、くせの生じ易いスクリーンの場合にはくせが付き、閉じた状態においてスクリーンが波を打ち、体裁が悪いという不都合がある。
【００１０】
この発明の課題は、スクリーンの取り換えが容易であり、スクリーンにくせをつけることなくきれいに巻取ることができるようにしたスクリーンの着脱装置を提供することである。
【００１１】
【課題を解決するための手段】
上記の課題を解決するために、この発明においては、スクリーンの巻取軸に、フィルムを基材とし、その片面に設けられた粘着面を内側にして互に重ね合わせた一対の再剥離性粘着シートの一端部を連結し、上記巻取軸に巻取られるスクリーンの巻始め側端部に前記再剥離性粘着シートの粘着面に対して接着可能な合成樹脂フィルムから成る連結シートを固着した構成を採用している。
【００１２】
【作用】
上記の構成から成る着脱装置においては、一対の再剥離性粘着シートを開き、その間に連結シートを入れ、各粘着シートを閉じて連結シートを接着することによりスクリーンを取付ける。
【００１３】
スクリーンの取外しに際しては、一対の粘着シートを引き裂して連結シートに対する接着を解除する。
【００１４】
【発明の実施の形態】
以下、この発明の実施の形態を図１乃至図３に基づいて説明する。
【００１５】
図示のように、巻取軸１の外周には、軸方向に延びる係合溝２が形成され、その係合溝２にテープ３の側縁に沿って設けた突受４が係合され、そのテープ３に一対の再剥離性粘着シート５ａ、５ｂの一端部が連結されている。
【００１６】
ここで、テープ３として、側縁にファスナエレメントを設けたスライドファスナ用テープを用いることができる。
【００１７】
再剥離性粘着シート５ａ、５ｂは、２枚の粘着シートから成るものであってもよく、一枚の粘着シートを二つ折りしたものであってもよい。実施の形態では、フィルムから成る基材の片面に再剥離性粘着剤層６を形成した一枚の粘着シートを、上記粘着剤層を内側にして二つ折りし、その折曲げ端部の表面に前記テープ３を溶着による手段を介して固着している。
【００１８】
上記粘着シート５ａ、５ｂに設けられた再剥離性粘着剤層６は、粘着剤層同士に対して引き剥せる程度に軽い力で接着する。また、合成樹脂フィルムを重ね合わせて接着した場合に、粘着面に平行する引張り力に対して十分な接着強度を有し、上記フィルムをコーナから引き上げた場合に、そのフィルムを剥離し得る程度の接着力を有する。また、粘着剤層６は、上記合成樹脂フィルムの接着と剥離とを反復して行なうことができる接着力を有する。
【００１９】
前記巻取軸１に巻取られるスクリーン７の巻始め側端部には合成樹脂フィルムから成る連結シート８が溶着による手段等を介して固着されている。
【００２０】
上記スクリーン７の連結に際しては、一対の再剥離性粘着シート５ａ、５ｂ間に連結シート８を位置させ、各再剥離性粘着シート５ａ、５ｂを連結シート８に押し付けて互に接着させる。
【００２１】
図２は、再剥離性粘着シート５ａ、５ｂに連結された上記スクリーン７が巻取軸１から完全に巻戻された状態を示す。その状態において、スクリーン１は図４に示す窓１４を完全に覆う。
【００２２】
上記スクリーン７は、巻取軸１の回転によってその巻取軸１上に巻取られる。このとき、一対の再剥離性粘着シート５ａ、５ｂはフィルムを基材とし、また連結シート８もフィルムから形成されているため、互に接続された両シート５ａ、５ｂ、８の厚みはきわめて薄く、その両シート５ａ、５ｂ、８上に前記スクリーン７が巻取られる。このため、スクリーン７は周方向の一部において盛り上がりが生じることなくきれいに巻取られる。
【００２３】
洗濯等によるスクリーン７の取り換えに際しては、巻取軸１からスクリーンを引き出し、図３に示すように、スクリーン７と一対の再剥離性粘着シート５ａ、５ｂの連結部を外壁パネル１０と内壁パネル１１間より外部に引き出した状態において、一対の再剥離性粘着シート５ａ、５ｂを引き剥し、交換用の新しいスクリーン７の連結シート８を一対の再剥離性粘着シート５ａ、５ｂ間に挿入して、各再剥離性粘着シート５ａ、５ｂを連結シート８に押し付ける。
【００２４】
【発明の効果】
以上のように、この発明においては、巻取軸に連結された一対の再剥離性粘着シートをスクリーンの巻始め側端部に接続した連結シートに接着させるようにしたので、スクリーンをきわめて簡単に着脱することができる。
【００２５】
また、スクリーンは、一対の再剥離性粘着シートと連結シートから成る薄肉の積層シート上に巻き取られるため、スクリーンを円周方向に一部において盛り上がりが生じることなくきれいに円筒形に巻取ることができ、スクリーンにくせが付くのを防止することができる。
【図面の簡単な説明】
【図１】この発明に係るスクリーンの着脱装置を示す斜視図
【図２】同上スクリーンの引き出し状態を示す断面図
【図３】同上スクリーンの取り換え状態を示す断面図
【図４】従来のロールスクリーンを示す断面図
【符号の説明】
１  巻取軸
５ａ、５ｂ  再剥離性粘着シート
７  スクリーン
８  連結シート
【図１】
0003784119.tif 000002
【図２】
0003784119.tif 000003
【図３】
0003784119.tif 000004
【図４】
0003784119.tif 000005